(57)【要約】【課題】指導者とのスケジュール調整が不要で、正常脳波波形及び異常脳波波形の読み取りが可能なシステム、情報処理装置及びプログラムを提供すること。【解決手段】本発明の一態様によれば、頭部模型及び第１情報処理装置を有し、前記頭部模型及び第１情報処理装置は互いに通信可能に構成され、前記頭部模型は、電極の配置位置を検出可能なセンサーを備え、第１情報処理装置は、位置判定部及び表示波形生成部を備え、前記位置判定部は、前記センサーにより検出された前記配置位置が予め定められた範囲内に位置するか否かを判定可能に構成され、前記表示波形生成部は、前記配置位置が予め定められた範囲内である場合、基準波形データに基づく表示波形を生成可能に構成され、前記基準波形データは、予め測定した基準脳波の波形を表すデータである、システムが提供される。【選択図】図２
2020034905.tif 000002
【特許請求の範囲】
【請求項１】
頭部模型及び第１情報処理装置を有し、
前記頭部模型及び第１情報処理装置は互いに通信可能に構成され、
前記頭部模型は、電極の配置位置を検出可能なセンサーを備え、
第１情報処理装置は、位置判定部及び表示波形生成部を備え、
前記位置判定部は、前記センサーにより検出された前記配置位置が予め定められた範囲内に位置するか否かを判定可能に構成され、
前記表示波形生成部は、前記配置位置が予め定められた範囲内である場合、基準波形データに基づく表示波形を生成可能に構成され、
前記基準波形データは、予め測定した基準脳波の波形を表すデータである、
システム。
【請求項２】
前記表示波形生成部は、前記配置位置と予め定められた基準位置の距離に応じて、前記表示波形の振幅を調整可能に構成される、
請求項１に記載のシステム。
【請求項３】
前記表示波形生成部は、前記配置位置と予め定められた基準位置の距離が大きくなるにつれて、前記表示波形の振幅を小さくするように調整する、
請求項１又は請求項２に記載のシステム。
【請求項４】
前記表示波形生成部は、前記配置位置が予め定められた範囲内にない場合、警告情報を生成可能に構成される、
請求項１〜請求項３の何れか１つに記載のシステム。
【請求項５】
前記頭部模型は、前記センサーを複数備え、
予め定められた基準位置及び基準波形データが前記センサー毎に規定されており、
前記表示波形生成部は、前記配置位置に基づいて、互いに異なる前記基準位置に対応する前記基準波形データを混合可能に構成される、
請求項１〜請求項４の何れか１つに記載のシステム。
【請求項６】
第２情報処理装置を有し、
第２情報処理装置は、第１情報処理装置から送信されたマーク画像と、予め定められた表示波形のうちの異常を表す異常部分と、の一致度を第１情報処理装置に送信可能に構成され、
前記マーク画像は、前記表示波形の一部にマークを付与した画像である、
請求項１〜請求項５の何れか１つに記載のシステム。
【請求項７】
第２情報処理装置は、特徴量抽出部及び一致度判定部を備え、
前記特徴量抽出部は、前記マーク画像の特徴を表す特徴量を抽出可能に構成され、
前記一致度判定部は、前記抽出された前記マーク画像の特徴量と、前記異常部分の特徴量と、に基づいて、前記マーク画像と前記異常部分の一致度を判定可能に構成される、
請求項６に記載のシステム。
【請求項８】
第２情報処理装置は、前記一致度が、第１情報処理装置のユーザー毎に定められた値を上回る場合、第１情報処理装置に対して通知を送信可能に構成される、
請求項６又は請求項７に記載のシステム。
【請求項９】
第１情報処理装置は、表示部を備え、
前記表示部は、年齢、性別及び脳波状態の少なくとも１つと対応付けて記憶された特定波形を表示可能に構成され、且つ、前記特定波形の脳波状態、投与すべき薬の種類及び一般的な予後の少なくとも１つを選択可能な選択画面を表示可能に構成され、
第２情報処理装置は、前記選択画面を介した選択が予め定められた正解であるか否かに関するフィードバックを第１情報処理装置に送信可能に構成される、
請求項１〜請求項８の何れか１つに記載のシステム。
【請求項１０】
第２情報処理装置は、画像生成部を備え
前記画像生成部は、前記マーク画像中における前記マークの尤度を第１色で可視化した第１画像と、前記異常部分の尤度を第２色で可視化した第２画像と、を生成可能に構成される、
請求項６又は請求項７に記載のシステム。
【請求項１１】
前記画像生成部は、前記マーク画像中における前記マークの尤度を第１色でヒートマップ化した第１画像と、前記異常部分の尤度を第２色でヒートマップ化した第２画像と、を生成可能に構成され、
第１画像及び第２画像は、互いに重ならずに表示されるように生成される、
請求項１０に記載のシステム。
【請求項１２】
前記画像生成部は、前記マーク画像中における前記マークの尤度を第１色でヒートマップ化した第１画像と、前記異常部分の尤度を第２色でヒートマップ化した第２画像と、を生成可能に構成され、
第１画像及び第２画像は、互いに重なって表示されるように生成され、
第１画像及び第２画像の重複部分のうち、第１色及び第２色が重なる部分を第３色で表示した第３画像を生成可能に構成される、
請求項１０に記載のシステム。
【請求項１３】
動作判定部と、第１表示制御部とを備え、
前記動作判定部は、前記頭部模型の複数の所定の箇所それぞれにおいて擦る動作が行われたか否かを判定可能に構成され、
前記第１表示制御部は、前記動作判定部の判定結果に基づいて、第１動作モードと、第２動作モードとで、前記複数の所定の箇所それぞれにおいて擦る動作が行われたか否かの表示を変更可能に構成される、
請求項１〜請求項１２の何れか１つに記載のシステム。
【請求項１４】
前記表示波形生成部は、複数の所定の箇所それぞれにおいて予め測定された脳波のパワースペクトルと、前記センサーにより検出された前記配置位置における脳波のパワースペクトルと、に基づいて、前記表示波形の振幅を調整可能に構成される、
請求項１〜請求項１３の何れか１つに記載のシステム。
【請求項１５】
前記表示波形生成部は、前記配置位置と予め定められた基準位置の距離に応じて、前記表示波形の振幅と、前記表示波形の色と、を調整可能に構成される、
請求項１〜請求項１４の何れか１つに記載のシステム。
【請求項１６】
第１情報処理装置は、第２表示制御部を備え、
前記第２表示制御部は、第１情報処理装置のユーザーが装着している表示装置に画像を表示することで、現実空間に前記画像を重畳して表示可能に構成される、
請求項１〜請求項１５の何れか１つに記載のシステム。
【請求項１７】
前記頭部模型は、発光部を備え、
前記発光部は、前記配置位置が予め定められた範囲内であるか否かに応じて異なる色を発光可能に構成される、
請求項１〜請求項１６の何れか１つに記載のシステム。
【請求項１８】
位置判定部及び表示波形生成部を備え、
前記位置判定部は、頭部模型に配置される電極の配置位置を検出可能なセンサーにより検出された前記配置位置が予め定められた範囲内に位置するか否かを判定可能に構成され、
前記表示波形生成部は、前記配置位置が予め定められた範囲内である場合、基準波形データに基づく表示波形を生成可能に構成され、
前記基準波形データは、予め測定した基準脳波の波形を表すデータである、
情報処理装置。
【請求項１９】
コンピュータを、位置判定部及び表示波形生成部として機能させ、
前記位置判定部は、頭部模型に配置される電極の配置位置を検出可能なセンサーにより検出された前記配置位置が予め定められた範囲内に位置するか否かを判定可能に構成され、
前記表示波形生成部は、前記配置位置が予め定められた範囲内である場合、基準波形データに基づく表示波形を生成可能に構成され、
前記基準波形データは、予め測定した基準脳波の波形を表すデータである、
プログラム。
【発明の詳細な説明】
【技術分野】
【０００１】
本発明は、システム、情報処理装置及びプログラムに関する。
【０００２】
医療過誤及び医療事故の多発が社会問題となっているため、医療の標準化、安全確保及び良質な医療者養成が急務となっている。そのための一つの手段として、医療分野におけるシミュレーション教育が提案されている。
【０００３】
特許文献１には、実際に患者にマッサージを行わずに、マッサージの手技を定量的に評価することができるマッサージ手技評価システムが開示されている。
【先行技術文献】
【特許文献】
【０００４】
【特許文献１】特開２００８−８３６２４号公報
【発明の概要】
【発明が解決しようとする課題】
【０００５】
ところで、医療従事者に対する脳波検査の教育の一貫として、頭部に対する電極設置実習が行われている。しかし、現状の実習では、被訓練者が頭部に電極を設置し、それを指導者が側で観察する必要があるので互いのスケジュールを合わせる必要があり、繰り返しの実習を行うためには多くの時間を要する。このため、被訓練者が実習において脳波を判読しても、指導者からのフィードバックを繰り返し得ることが困難である。また、電極の設置対象、すなわち練習相手が健常者であるため、脳波の異常を表す異常脳波波形を学ぶことができない。
【０００６】
本発明は、かかる事情を鑑みてなされたものであり、指導者とのスケジュール調整が不要で、正常脳波波形及び異常脳波波形の読み取りが可能なシステム、情報処理装置及びプログラムを提供することを目的とする。
【課題を解決するための手段】
【０００７】
以下、本発明の種々の実施形態を例示する。以下に示す実施形態は互いに組み合わせ可能である。
【０００８】
本発明によれば、頭部模型及び第１情報処理装置を有し、前記頭部模型及び第１情報処理装置は互いに通信可能に構成され、前記頭部模型は、電極の配置位置を検出可能なセンサーを備え、第１情報処理装置は、位置判定部及び表示波形生成部を備え、前記位置判定部は、前記センサーにより検出された前記配置位置が予め定められた範囲内に位置するか否かを判定可能に構成され、前記表示波形生成部は、前記配置位置が予め定められた範囲内である場合、基準波形データに基づく表示波形を生成可能に構成され、前記基準波形データは、予め測定した基準脳波の波形を表すデータである、システムが提供される。
【０００９】
本発明では、センサーが予め定められた範囲内に配置された場合に、基準波形データに基づく表示波形を生成する。これにより、予め指導者が基準波形データを作成すれば、その後は指導者を要することなく、電極の配置位置を一人で訓練する事が可能になる。また、正常脳波波形と異常脳波波形を基準波形データとして登録することにより、種々の脳波について学ぶことが可能になる。
【００１０】
以下、本発明の種々の実施形態を例示する。以下に示す実施形態は互いに組み合わせ可能である。
【図面の簡単な説明】
【００１１】
【図１】本発明の一実施形態に係るシステム１００の概略を示す図である。
【図２】第１情報処理装置１の機能ブロック図である。
【図３】第２情報処理装置２の機能ブロック図である。
【図４】国際１０−２０法に基づく電極配置を表す概念図である。
【図５】本発明の一実施形態に係る電極５の基準位置を表す概念図である。
【図６】図６Ａは、頭部模型３にメッシュ６を取り付けた状態を表すものである。図６Ｂは、メッシュ６によりセンサー４（圧力感応部４１＋異方性導電布４２）を頭部模型３に位置決めした状態を表すものである。
【図７】センサー４の構成部材を説明するための模式図である。
【図８】圧力感応部４１の真上から電極５を配置した状態を表す模式図である。
【図９】図９Ａは、圧力感応部４１に対して適切な位置に電極５を配置した状態を表す模式図である。図９Ｂは、圧力感応部４１に対して適切な位置からずれた位置に電極５を配置した状態を表す模式図である。
【図１０】第１情報処理装置１を用いて、頭部模型３に電極５を配置するトレーニングを実現するためのフローチャートの一例である。
【図１１】基準位置ＲＰを中心として設定された、第１範囲Ｒ１〜第３範囲Ｒ３を表す模式図である。
【図１２】基準波形、振幅調整後の表示波形、及びノイズ（警告波形）を表す模式図である。
【図１３】センサー４上に電極５が配置されたことに応じて表示部１１に表示される表示波形の一例である。
【図１４】第１情報処理装置１及び第２情報処理装置２を用いて、波形読み取りトレーニングを実現するためのフローチャートの一例である。
【図１５】第１情報処理装置１のユーザーを特定するユーザーＩＤ毎に紐付けられたユーザーレベル及び合格値を格納したテーブルの一例である。
【図１６】マーク画像と基準脳波の一部の一致度を判定する処理を説明するための模式図である。
【図１７】第１情報処理装置１及び第２情報処理装置２を用いて、正誤判定トレーニングを実現するためのフローチャートの一例である。
【図１８】図１８Ａは、第２情報処理装置２を用いて、特定波形を表す選択設定データを作成する際における表示画像の一例である。図１８Ｂは、第１情報処理装置１を用いて、特定波形を読み取るトレーニングを受講する際の表示画像の一例である。
【図１９】図１９Ａは、ユーザーによるマーク箇所を表すヒートマップの一例である。図１９Ｂは、脳波波形のうち、異常があると推定される部分を表すヒートマップの一例である。
【図２０】第４実施形態に係る第１情報処理装置１の機能ブロック図である。
【図２１】図２１Ａは、センサー４の圧力感応部４１を道具２１０で擦る動作を表す模式図である。図２１Ｂは、道具２１０による擦り動作により、センサー４が検知する抵抗値が変化する様子を表す模式図である。図２１Ｃは、適切な擦り動作が行われたか否か異なる態様で表示させる例を表す模式図である。
【図２２】図２２Ａは、頭部模型３の特定の位置を表す模式図である。図２２Ｂは、特定の位置における周波数毎の波形含有量を表すグラフである。図２２Ｃは、特定の位置毎に波形を調整して表示した例を表す図である。
【図２３】第５実施形態に係る第１情報処理装置１の機能ブロック図である。
【図２４】第６実施形態に係る第１情報処理装置１の機能ブロック図である。
【発明を実施するための形態】
【００１２】
以下、図面を用いて本発明の実施形態について説明する。以下に示す実施形態中で示した各種特徴事項は、互いに組み合わせ可能である。
【００１３】
＜第１実施形態＞
１．システム１００の機能
図１に示すように、本実施形態に係るシステム１００は、頭部模型３及び第１情報処理装置１を有する。また、本実施形態では、システム１００は、さらに第２情報処理装置２を有する。また、頭部模型３、第１情報処理装置１及び第２情報処理装置２は、ネットワークＮＴを介して互いに通信可能に構成される。頭部模型３は、人間の頭部を模した模型であり、頭部にセンサー４を備える。センサー４は、電極５の配置位置を検出可能に構成され、感圧センサー、静電容量センサー等を利用することができる。本実施形態では、第１情報処理装置１は、脳波検査教育の被訓練者が利用する端末である。また、第２情報処理装置２は、脳波検査教育の指導者が利用する端末である。システム１００を利用することにより、被訓練者は、第１情報処理装置１を用いて、電極５を頭部模型３上の適切な位置に配置する訓練を受け、その結果について、指導者が利用する第２情報処理装置２からフィードバックを受けることが可能になる。
【００１４】
１−１．第１情報処理装置１
図２に示すように、第１情報処理装置１は、表示部１１、操作部１２、通信部１３、制御部１４及び記憶部１５を備える。制御部１４は、変換部１４１、位置判定部１４２、表示波形生成部１４３及び画像生成部１４４を備える。
【００１５】
表示部１１は、画像を表示するものであり、任意のディスプレイ等により構成される。ここで、本実施形態における画像は、静止画及び動画を含むものである。操作部１２は、第１情報処理装置１を操作するものであり、キーボード、タッチパネル、音声入力装置、ジェスチャー認識装置又は視線検出装置等により構成される。通信部１３は、第１情報処理装置１を構成する他の構成要素又は他の情報処理装置と有線又は無線によりデータ通信可能に構成される。
【００１６】
制御部１４は、記憶部１５に記憶されたプログラム（不図示）にしたがい、第１情報処理装置１を構成する種々の要素を制御するものである。
【００１７】
変換部１４１は、センサー４により検出された値をデジタル信号に変換するものである。ここで、センサー４により検出された値は、例えば抵抗値、圧力、静電容量の変化である。
【００１８】
位置判定部１４２は、センサー４により検出された電極５の配置位置が予め定められた範囲内に位置するか否かを判定可能に構成される。具体的には、変換部１４１により変換されたデジタル信号に基づいて、電極５の配置位置を判定する。
【００１９】
表示波形生成部１４３は、電極５の配置位置が予め定められた範囲内である場合、記憶部１５に記憶された基準波形データに基づく表示波形を生成可能に構成される。本実施形態では、表示波形は、表示部１１に表示される波形である。ここで、基準波形データは、予め測定した基準脳波の波形を表すデータである。なお、基準脳波とは、第１情報処理装置１に予め登録する脳波であり、正常脳波及び異常脳波を含むものである。
【００２０】
画像生成部１４４は、表示部１１に表示する種々の画像を生成するものである。本実施形態には、表示画像には、表示波形、種々の問題及び問題への解答の選択画面が含まれる。
【００２１】
記憶部１５は、種々のプログラム及び基準波形データを記憶するものであり、例えばメモリ、ハードディスク、ＳＳＤ等により構成される。
【００２２】
１−２．第２情報処理装置２
図３に示すように、第２情報処理装置２は、表示部２１、操作部２２、通信部２３、制御部２４及び記憶部２５を備える。ここで、表示部２１、操作部２２、通信部２３の機能は第１情報処理装置１の表示部１１、操作部１２、通信部１３と同様であるため、その説明を省略する。なお、通信部１３及び通信部２３は、種々のデータを通信可能に構成される。
【００２３】
制御部２４は、特徴量抽出部２４１、一致度判定部２４２、正誤判定部２４３及び画像生成部２４４を備える。
【００２４】
特徴量抽出部２４１は、マーク画像の特徴を表す特徴量を抽出可能に構成される。ここで、本実施形態におけるマーク画像は、表示部１１に表示される表示波形の一部にマークを付与した画像である。
【００２５】
一致度判定部２４２は、特徴量抽出部２４１により抽出されたマーク画像の特徴量と、異常波形の特徴量と、に基づいて、マーク画像と異常波形の一部の一致度を判定可能に構成される。ここで、一致度判定には、公知の画像処理技術を利用することができる。
【００２６】
画像生成部２４４は、第２情報処理装置２の表示部２１に表示する種々の画像を生成するものである。かかる画像には、表示波形及びフィードバック画像等が含まれる。
【００２７】
記憶部２５は、種々のプログラム、基準波形データ及び選択設定データを記憶するものであり、例えばメモリ、ハードディスク、ＳＳＤ等により構成される。
【００２８】
上記の各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。本実施形態においては、様々な情報やこれを包含する概念を取り扱うが、これらは、０又は１で構成される２進数のビット集合体として信号値の高低によって表され、上記のソフトウェア又はハードウェアの態様によって通信や演算が実行され得るものである。
【００２９】
また、第１情報処理装置１及び第２情報処理装置２は、一つの筐体として実装してもよい。また、第１情報処理装置１及び第２情報処理装置２の各構成要素を部分的に交換又は追加することも可能である。例えば、第１情報処理装置１の変換部１４１、位置判定部１４２、表示波形生成部１４３及び画像生成部１４４の少なくとも１つを、第２情報処理装置２の制御部２４に実装してもよい。また、第２情報処理装置２の特徴量抽出部２４１、一致度判定部２４２、正誤判定部２４３及び画像生成部２４４の少なくとも１つを、第１情報処理装置１の制御部１４に実装してもよい。さらに、第２情報処理装置２の記憶部２５に格納された選択設定データ及び正解データを、第１情報処理装置１の記憶部１５に記憶することも可能である。
【００３０】
１−３．頭部模型３
図４及び図５に示すように、頭部模型３は、人間の頭部を模した模型である。図４に示すように、脳波検査に用いる電極の配置指針を定める国際１０−２０法によれば、電極の配置位置として、２１箇所が定められている。本実施形態では、頭部模型３には複数のセンサー４が設けられる。そして、予め定められた基準位置及び基準波形データがセンサー４毎に規定される。以下、図５に示すように、図４における配置位置のうちの１２箇所にセンサー４を設ける例について説明する。なお、図５の配置はあくまで一例であり、図４中の複数のセンサー４のうち、任意の数のセンサー４を利用することができる。
【００３１】
図６Ａに示すように、本実施形態では、頭部模型３にメッシュ６が取り付けられる。そして、図６Ｂに示すように、メッシュ６によりセンサー４（圧力感応部４１＋異方性導電布４２）を頭部模型３に位置決めする。
【００３２】
センサー４の構成は特に限定されないが、以下、メッシュ状の感圧センサーを利用した例について説明する。
【００３３】
１−４．センサー４
図７及び図８に示すように、センサー４は、圧力感応部４１及び異方性導電布４２を備える。圧力感応部４１は、導電性部材４１ａ及び感圧部材４１ｂにより構成される。
【００３４】
導電性部材４１ａは、導電性を有する部材である。感圧部材４１ｂは、加圧されることにより電気的特性が変化するものであり、導電性部材４１ａの周囲を全周にわたって被覆するように構成される。本実施形態では、感圧部材４１ｂと導電性部材４１ａは、同心軸上に配置されている。
【００３５】
異方性導電布４２は、非導電性繊維の織物に、平面視において直線状且つ平行に、互いに離間して配置された複数本の導電性糸が織り込まれ又は縫い込まれたものである。換言すると、異方性導電布４２は、非導電性繊維の織物における縦糸又は横糸の一部を、予め定めた間隔で導電性糸に置換又は縫い込んだものである。ここで、非導電性繊維としては、例えばポリエチレンテレフタレート（ＰＥＴ）繊維を用いることができる。なお、非導電性繊維は、ＰＥＴ以外にも非導電性のものであれば特に限定されず、耐熱性及び化学的耐性を有するものが好ましい。また、導電性糸は、銀糸、金糸、ステンレススチール糸、炭素繊維、銀めっきナイロン糸等の、導電性を有する材料を用いることができる。
【００３６】
圧力感応部４１は、異方性導電布４２の複数の導電性糸の延在方向と略直行するように、異方性導電布４２の表面に設けられる。これにより、異方性導電布４２の複数の導電性糸は、感圧部材４１ｂを介して導電性部材４１ａと対向する。そして、複数の導電性糸及び導電性部材４１ａはそれぞれ、不図示のリード線により端子（不図示）に接続されている。
【００３７】
かかる構成により、異方性導電布４２の複数の導電性糸が第１電極を構成し、圧力感応部４１の導電性部材４１ａが第２電極を構成する。すなわち、異方性導電布４２の複数の導電性糸と圧力感応部４１の交点がそれぞれ独立した圧力感知点となる。本実施形態では、かかるセンサー４を、図５及び図６Ａ、図６Ｂに示すように、頭部模型３の８箇所に設置する。
【００３８】
これにより、図８に示すように、圧力感応部４１の上方から電極５を配置することにより、電極５の押付力Ｆに起因する圧力を検出することが可能になる。
【００３９】
そして、図９Ａに示すように、センサー４を構成する圧力感応部４１上の適切な位置に電極５が配置されると、押付力Ｆの作用により、電極５間の抵抗値が低下する。このとき、予め定められた閾値（例：３ｋΩ）を定めておき、電極５間の抵抗値の低下の度合いが閾値を下回る場合、センサー４の近傍、すなわち適切な位置に電極５が配置されたと判定する。一方、図９Ｂに示すように、センサー４を構成する圧力感応部４１上の適切な位置に電極５が配置されなかった場合、押付力Ｆが作用しても、電極５間の抵抗値の低下が閾値を下回らない。このとき、センサー４の近傍、すなわち適切な位置に電極５が配置されなかった判定する。
【００４０】
被訓練者が電極５の配置訓練を受ける場合には、センサー４を取り付けた頭部模型３（図６Ａ及び図６Ｂ参照）にかつら、スカーフ、布等を被せた状態で、電極５を配置していく。そして、センサー４により、適切な位置に電極５が配置されたか否かを判定することが可能になる。
【００４１】
２．電極５の配置訓練
以下、図１０〜図１３を用いて、システム１００を利用した電極５の配置訓練について説明する。配置訓練は、頭部模型３上の適切な位置に電極５を配置するための訓練である。
【００４２】
＜事前準備＞
まず、事前の準備として、指導者が、脳波波形の提供者の頭に、電極５を正確に配置する。そして、この状態で提供者の脳波を測定し、基準波形データとして記憶部１５及び記憶部２５の少なくとも一方に記憶する。あわせて、適切な位置に配置された電極５の中心位置を、基準位置として記憶部１５及び記憶部２５の少なくとも一方に記憶する。本実施形態では、図５に対応する位置に８個の電極５を配置し、電極５毎に測定された脳波及び基準位置をそれぞれ記憶する。
【００４３】
次に、頭部模型３の図５に対応する位置に８個のセンサー４を配置し、その上からメッシュ６で覆うことにより、頭部模型３にセンサー４を位置決めする。このとき、上述の基準位置及び基準波形データを、センサー４毎に規定し、記憶部１５及び記憶部２５の少なくとも一方に記憶する。そして、頭部模型３をかつら等で覆うことにより、被訓練者からセンサー４の位置が見えないようにする。
【００４４】
以下、図１０の各ステップについて説明する。
【００４５】
＜フローチャート＞
まず、Ｓ１において、被訓練者が頭部模型３に電極５を取り付ける。本実施形態では、図５に対応する位置、すなわち８個の基準位置を狙って、８個の電極５を配置する。
【００４６】
次に、Ｓ２において、変換部１４１により、センサー４を配置するときに生じる押付力Ｆ（図８参照）により生じる電極５の抵抗値をデジタル信号に変換し、かかるデジタル信号に基づいて、電極５の配置位置が予め定められた範囲内に位置するか否かを判定する。
【００４７】
次に、Ｓ３において、電極５の配置位置が基準範囲Ｒ０内である場合、Ｓ４に進み、基準波形データに基づいて、表示波形生成部１４３により、基準波形を生成する。
【００４８】
ここで、基準範囲Ｒ０とは、図１１に示すように、指導者が予め定めた電極５の適切な配置位置（図中の基準位置ＲＰ）を中心とする範囲である。基準範囲Ｒ０の大きさは特に限定されないが、少なくとも図５に対応する位置に正確に電極５を配置した場合における、頭部模型３と電極５の接触面以上の大きさを有することが好ましい。図１１の例では、基準範囲Ｒ０は、基準位置ＲＰを中心とする半径ｒ０の円である。
【００４９】
そして、Ｓ５において、表示部１１に基準波形を表示する。
【００５０】
一方、Ｓ３において、電極５の配置位置が基準範囲Ｒ０内でない場合、Ｓ６に進む。そして、Ｓ６において、電極５の配置位置が第３範囲Ｒ３内であるか否かの判定がなされる。
【００５１】
ここで、第３範囲Ｒ３について、図１１を用いて説明する。図１１に示すように、本実施形態では、基準位置ＲＰを中心として、基準範囲Ｒ０、第１範囲Ｒ１、第２範囲Ｒ２、第３範囲Ｒ３が設けられている。これらの半径は、基準範囲Ｒ０から順に、ｒ０，ｒ１，ｒ２，ｒ３である。また、ｒ３の大きさは特に限定されないが、センサー４を構成する異方性導電布４２の幅に合わせてもよい。これにより、電極５の配置位置が第３範囲Ｒ３外となった場合に、図９Ｂに対応する状態となる。
【００５２】
そして、Ｓ６において、電極５の配置位置が第３範囲Ｒ３内であると判定された場合、Ｓ７に進む。そして、Ｓ７において、表示波形生成部１４３により、振幅調整処理が実行され、Ｓ８において、振幅調整後の表示波形を生成する。その後、Ｓ５に進み、表示部１１に波形を表示する。
【００５３】
ここで、図１２を用いて、Ｓ７における振幅調整処理について説明する。図１２に示すように、本実施形態では、電極５を配置した状態において、平面視における電極５の中心位置（配置位置）から基準位置ＲＰの距離をｒとし、ｒに応じて表示波形の振幅を調整する。つまり、表示波形生成部１４３は、電極５の配置位置と予め定められた基準位置ＲＰの距離に応じて、表示波形の振幅を調整可能に構成される。
【００５４】
具体的には、ｒ＝ｒ０の場合、すなわち電極５の配置位置が基準位置ＲＰと重なる場合、表示波形生成部１４３は、表示部１１に表示する表示波形として、振幅がＡ０の波形を生成する。ｒ０＜ｒ＜ｒ１の場合、すなわち、電極５の配置位置が第１範囲Ｒ１内に位置する場合、表示波形生成部１４３は、表示波形として、振幅がＡ１の波形を生成する。ｒ１＜ｒ＜ｒ２の場合、すなわち、電極５の配置位置が第２範囲Ｒ２内に位置する場合、表示波形生成部１４３は、表示波形として、振幅がＡ２の波形を生成する。そして、ｒ２＜ｒ＜ｒ３の場合、すなわち、電極５の配置位置が第３範囲Ｒ３内に位置する場合、表示波形生成部１４３は、表示波形として、振幅がＡ３の波形を生成する。ここで、Ａ０〜Ａ４は０より大きい値であり、Ａ４＜Ａ３＜Ａ２＜Ａ１＜Ａ０である。すなわち、表示波形生成部１４３は、電極５の配置位置と予め定められた基準位置の距離が大きくなるにつれて、表示波形の振幅を小さくするように調整する。このとき、表示部１１は、表示されている表示波形に対応するｒが、基準範囲Ｒ０〜第３範囲Ｒ３のいずれに位置するか、又は第３範囲Ｒ３外となっているかにつき、メッセージ又は画像等を表示するようにしてもよい。
【００５５】
ここで、振幅の調整はこれに限定されず、任意に調整することができる。例えば、基準位置ＲＰを中心とした複数の範囲を設け、かかる範囲ごとに振幅Ａを設定してもよい（上記の例）。また、平面視における電極５の中心位置（配置位置）から基準位置ＲＰの距離ｒに応じて、任意の関数ｆ（ｒ）により振幅Ａを調整してもよい。具体的には、基準位置ＲＰにおける振幅をＡｍａｘとし、ｒが増加するにつれて、振幅Ａが単調減少するような関数ｆ（ｒ）を利用することができる。
【００５６】
一方、Ｓ６において、電極５の配置位置が第３範囲Ｒ３内でないと判定された場合、Ｓ９に進む。そして、表示波形生成部１４３により、警告情報を生成する。
【００５７】
ここで、図１２を用いて、警告情報について説明する。図１２に示すように、ｒ３＜ｒの場合、すなわち電極５の配置位置が第３範囲Ｒ３内にない場合、表示波形生成部１４３は、警告情報を生成する。警告情報は、被訓練者が配置した電極５が、予め定められた範囲内、すなわち第３範囲Ｒ３までの範囲内にない場合、その旨を被訓練者に対して通知するための情報である。図１２の例では、警告情報として、ノイズが表示される。なお、警告情報の内容はこれに限られず、電極５の配置位置が予め定められた範囲内に位置しないことを伝えるメッセージ、表示部１１に表示される画像の色の変化、音、点滅等、任意の情報とすることができる。
【００５８】
その後、Ｓ５に進み、表示部１１に波形（警告情報）を表示する。
【００５９】
図１３は、表示部１１に表示された表示波形の一例である。本実施形態では、８個の電極５に対応する８個の表示波形が表示される。
【００６０】
このように、電極５の配置位置に応じて、振幅が調整された表示波形又は警告情報（ノイズ）を表示部１１に表示させることにより、被訓練者がリアルタイムで電極５の配置位置がどの程度適切であるかについて、センサー４毎に理解することが可能になる。
【００６１】
以上説明した通り、本発明の一実施形態に係るシステム１００を利用することにより、指導者とのスケジュール調整が不要で、正常脳波波形及び異常脳波波形の読み取りが可能なシステムが実現される。
【００６２】
ここで、振幅調整処理に代えて、表示波形生成部１４３は、電極５の配置位置に基づいて、互いに異なる基準位置ＲＰに対応する基準波形データを混合可能に構成してもよい。例えば、互いに異なる基準位置ＲＰに対応する基準波形データに対して線形補間を実行することができる。具体的には、電極５の配置位置が、一のセンサー４と他のセンサー４の中間である場合、一のセンサー４に対応する基準波形データと、他のセンサー４に対応する基準波形データを５０％ずつ混合する。これにより、２つのセンサー４により検出された、電極５の配置位置に対応する脳波の特徴が混合した表示波形を生成することができる。
【００６３】
さらに、振幅調整処理に代えて、電極５の配置位置と基準位置ＲＰの距離に応じて、表示部１１に表示する表示波形の輝度、明度又は彩度を変更するように構成してもよい。また、電極５の配置位置が位置する範囲が、基準範囲Ｒ０〜第３範囲Ｒ３又は第３範囲Ｒ３外であることを示すメッセージを表示するように構成してもよい。
【００６４】
３．脳波の波形読み取り訓練
次に、図１４〜図１６を用いて、システム１００を利用した脳波の波形読み取り訓練について説明する。波形読み取り訓練は、表示部１１に表示される波形を読み取り、波形のうち異常を表す箇所を特定するための訓練である。
【００６５】
図１４に示すように、まず、Ｓ２１において、指導者が第２情報処理装置２を操作して、基準波形データを作成する。波形の読み取り訓練における基準波形データは、波形の一部に異常を表す部分を含むものである。ここで、Ｓ２１は一度実行すればよく、基準波形データに変更がない限り、初回以外は指導者が関与しなくてもよい。
【００６６】
一方、被訓練者は、Ｓ１１において、第１情報処理装置１の表示部１１により、波形を表示させる。ここで、表示部１１に表示させる波形は、センサー４の数に対応する。例えば、センサー４の数が８個である場合、図１３に示すように、８個の波形が表示される。次に、Ｓ１２において、操作部１２を操作して、表示波形のうち、脳波の異常を表すと考える箇所に、図１６に示されるようなマークを付与する。このように、表示波形の一部にマークを付与した画像がマーク画像である。ここで、かかるマークは特に限定されず、丸、楕円、矢印、色の変更等を含む。被訓練者は、複数の表示波形のそれぞれについてマークを付与する。なお、脳波の異常を表す部分は、少なくとも１つの表示波形に含まれることが好ましい。
【００６７】
次に、Ｓ１３において、第１情報処理装置１は、ユーザーＩＤ及びマーク画像を第２情報処理装置２に送信する。一方、第２情報処理装置２は、Ｓ２２において、ユーザーＩＤ及びマーク画像を受信する。
【００６８】
ここで、図１５に示すように、本実施形態では、記憶部１５及び記憶部２５の少なくとも一方に、ユーザーＩＤ、ユーザーレベル、合格値を紐づけて記憶している。ユーザーＩＤは、被訓練者を特定するＩＤであり、被訓練者がそれぞれ第１情報処理装置１を所有する場合には第１情報処理装置１に個別に付与した識別番号を利用することができる。また、被訓練者毎に割り当てた識別番号を利用することもできる。ユーザーレベルは、被訓練者の波形読み取りレベルを表す指標である。本実施形態では、ユーザーレベルが１〜３まで設定され、ユーザーレベルが高いほど、被訓練者の波形読み取りレベルが高いことを表す。また、合格値は、第１情報処理装置１のユーザー（被訓練者）毎に定められた値である。例えば、合格値が８５％の場合、後述のＳ２６における一致度が８５％を上回った場合、被訓練者がその訓練を合格するものとする。
【００６９】
次に、Ｓ２３において、第２情報処理装置２は、ユーザーレベルを取得する。
【００７０】
次に、Ｓ２４において、特徴量抽出部２４１により、マーク画像の特徴量が抽出される。ここで、マーク画像の特徴量は、マーク画像中のマーク部分を除いた波形の変曲点、極値、振幅等により規定される。
【００７１】
次に、Ｓ２５において、一致度判定部２４２により、マーク画像と基準波形の一致度判定がなされる。本実施形態では、図１６に示すように、一致度判定部２４２は、Ｓ２４において抽出されたマーク画像の特徴量と、基準波形の異常部分の特徴量と、に基づいて、マーク画像と異常部分の一致度を判定する。
【００７２】
そして、Ｓ２６において、第２情報処理装置２は、第１情報処理装置１から送信されたマーク画像と、予め定められた表示波形のうちの異常を表す異常部分と、の一致度に関するフィードバックを第１情報処理装置１に送信する。
【００７３】
このとき、第２情報処理装置２は、第１情報処理装置１から送信されたマーク画像と、予め定められた表示波形のうちの異常を表す異常部分と、の一致度が、第１情報処理装置１のユーザー毎に定められた値（図１５中の合格値）を上回る場合、第１情報処理装置１に対して通知を送信するようにしてもよい。かかる通知は、マーク画像と異常部分の一致度が合格値を上回ったことを通知する内容や、これにより試験に合格した内容であってもよい。
【００７４】
第１情報処理装置１は、Ｓ１４において、フィードバックを受信する。そして、Ｓ１５において、表示部１１にフィードバックを表示させる。
【００７５】
以上説明した処理により、被訓練者は、第１情報処理装置１を操作し、表示波形のうち脳波の異常を表すと思われる箇所にマークを付与することにより、第２情報処理装置２からフィードバックを得ることができる。
【００７６】
４．正誤判定訓練
次に、図１７及び図１８を用いて、システム１００を利用した脳波の波形に関する正誤判定訓練について説明する。正誤判定訓練は、表示部１１に表示される波形を読み取り、その波形が表す脳波状態、投与すべき薬の種類及び一般的な予後の少なくとも１つについて解答する訓練である。
【００７７】
図１７に示すように、まず、Ｓ４１において、指導者が第２情報処理装置２を操作して、選択設定データを作成する。本実施形態では、選択設定データは、基準波形データのうち、ある特定の波形データを選択し、かかる波形データ（特定波形データ）を取得したサンプルの年齢、性別及び脳波状態の少なくとも１つと、特定波形データを対応付けたデータである。本実施形態では、さらに、特定波形データを取得したサンプルに投与すべき薬の種類及び一般的な予後についても、特定波形データと対応付けて記憶する。具体的には、図１８Ａに示すように、指導者は、第２情報処理装置２の表示部２１に表示された選択画面から、特定波形データを取得したサンプルの年齢、性別、てんかんの種類について、それぞれ適切なものを選択する。ここで、図１８Ａの例では、かかる選択はプルダウンメニューによりなされる。例えば、特定波形データを取得したサンプルの年齢が２歳、性別が女、てんかんの種類が前頭葉てんかんである場合、プルダウンメニューにより、複数の選択肢の中からこれらが選択される。
【００７８】
ここで、Ｓ４１は一度実行すればよく、基準波形データに変更がない限り、初回以外は指導者が関与しなくてもよい。
【００７９】
一方、被訓練者は、Ｓ３１において、第１情報処理装置１の表示部１１により、特定波形データに対応する特定波形を表示させる。すなわち、表示部１１は、年齢、性別及び脳波状態の少なくとも１つと対応付けて記憶された特定波形を表示する。
【００８０】
次に、Ｓ３２において、表示部１１に表示された選択画面から、特定波形の脳波状態、投与すべき薬の種類及び一般的な予後の少なくとも１つを選択する。つまり、表示部１１は、特定波形の脳波状態、投与すべき薬の種類及び一般的な予後の少なくとも１つを選択可能な選択画面を表示可能に構成される。
【００８１】
具体的には、被訓練者は、表示部１１に表示される特定脳波を読み取り、特定脳波が表すてんかんの種類が前頭葉てんかん、投与すべき薬がカルバマゼピン、患者の一般的な予後が良好であると考える場合、図１８Ｂのような解答の選択がなされる。
【００８２】
次に、Ｓ３３において、第１情報処理装置１は、解答を第２情報処理装置２に送信する。一方、第２情報処理装置２は、Ｓ４２において、解答を受信する。
【００８３】
次に、Ｓ４３において、正誤判定部２４３により、受信した解答の正誤判定がなされる。かかる判定は、受信した解答と、選択設定データを突き合わせることにより実現される。
【００８４】
そして、Ｓ４４において、第２情報処理装置２は、被訓練者によりなされた選択が、予め定められた正解であるか否かに関するフィードバックを第１情報処理装置１に送信する。
【００８５】
第１情報処理装置１は、Ｓ３４において、フィードバックを受信する。そして、Ｓ３５において、表示部１１にフィードバックを表示させる。
【００８６】
以上説明した処理により、被訓練者は、第１情報処理装置１を操作し、特定波形から読み取れる事項を選択することにより、第２情報処理装置２からフィードバックを得ることができる。
【００８７】
＜第２実施形態＞
次に、第２実施形態について説明する。第２実施形態では、ユーザーＩＤを利用せず、第１情報処理装置１を利用する全ユーザーに対し、一律に難易度（すなわち、図１５の合格値）を設定する。
【００８８】
具体的には、図１４のＳ１３において、ユーザーＩＤを送信せず、Ｓ２２においてもユーザーＩＤを受信しない。また、Ｓ２３において、ユーザーレベルを取得する代わりに、全ユーザーに対して一律に設定された合格値を取得する。そして、Ｓ２６において、第２情報処理装置２は、第１情報処理装置１から送信されたマーク画像と、予め定められた表示波形のうちの異常を表す異常部分と、の一致度が、全ユーザーに対して一律に設定された合格値を上回る場合、第１情報処理装置１に対して通知を送信する。かかる通知は、マーク画像と異常部分の一致度が合格値を上回ったことを通知する内容や、これにより試験に合格した内容であってもよい。
【００８９】
＜第３実施形態＞
次に、図１９Ａ及び図１９Ｂを用いて、第３実施形態について説明する。本実施形態では、画像生成部２４４は、マーク画像中におけるマークの尤度を第１色で可視化した第１画像と、異常部分の尤度を第２色で可視化した第２画像と、を生成可能に構成される。
【００９０】
ここで、尤度とは、確からしさのことである。具体的には、マーク画像中におけるマークの尤度は、マークの筆圧、太さ、マークが付加されるまでの時間等に基づいて決定される。例えば、マークの筆圧が強い場合、マークの太さが太い場合、マークが付加されるまでの時間が短い場合ほど、マークを付加したユーザーが自信を持っていたと推定し、マークの尤度を高く設定する。
【００９１】
一方、異常部分の尤度とは、システム１００の運営者や脳波読取の熟練者、又は人工知能等により予め設定されるものであり、脳波波形のうち、異常であると推定される尤度である。
【００９２】
本実施形態では、画像生成部２４４は、マーク画像中におけるマークの尤度を第１色でヒートマップ化した第１画像を生成可能に構成される。ここで、図１９Ａは、ユーザーによるマーク箇所を表すヒートマップの一例である。図１９Ａの例では、マークの尤度が高い箇所ほど濃い色となるようにヒートマップが生成される。ここで、第１色は任意の色とすることができ、例えば青色の濃淡により尤度の高低を表現することができる。
【００９３】
また、本実施形態では、画像生成部２４４は、異常部分の尤度を第２色でヒートマップ化した第２画像を生成可能に構成される。ここで、図１９Ｂは、脳波波形のうち、異常があると推定される部分を表すヒートマップの一例である。図１９Ｂの例では、異常部分の尤度が高い箇所ほど濃い色となるようにヒートマップが生成される。ここで、第２色は任意の色とすることができ、例えば赤色の濃淡により尤度の高低を表現することができる。
【００９４】
そして、第１画像及び第２画像は、表示部１１に表示される。このとき、画像生成部２４４により、第１画像及び第２画像は、互いに重ならずに表示されるように生成されてもよい。また、画像生成部２４４により、第１画像及び第２画像は、互いに重なって表示されるように生成されてもよい。ここで、第１画像及び第２画像がぴったりと重なる必要がなく、第１画像及び第２画像の少なくとも一部が重なればよい。このとき、視認性の観点から、画像生成部２４４により、第１画像及び第２画像の重複部分のうち、第１色及び第２色が重なる部分を第３色で表示した第３画像を生成されてもよい。具体的には、画像生成部２４４は、第１画像及び第２画像の重複部分のうち、第１画像中の青色部分と第２画像中の赤色部分が重なる部分を黄色で表示した第３画像を生成する。そして、第３画像が、表示部１１に表示される。ここで、第１色〜第３色は互いに異なる色であることが好ましく、色相環上において離れた色であることが好ましい。
【００９５】
なお、第１画像及び第２画像として、第１色及び第２色によるヒートマップ以外の画像を用いることもできる。例えば、ハッチング線の密度により、尤度の高低を表現してもよい。このとき、第１画像と第２画像において、互いに異なる向きのハッチング線を用いることにより、第１画像と第２画像を区別しやすくすることが好ましい。この場合、第３画像は、互いに異なる向きのハッチング線を重ね合わせることにより表現される。
【００９６】
さらに、ハッチングに代えて、任意の図形の密度により、尤度の高低を表現してもよい。例えば、尤度が高い部分ほど、任意の図形（例：円、楕円、多角形、星、ハート、涙模様）を高密度で敷き詰めるようにしてもよい。
【００９７】
＜第４実施形態＞
次に、図２０、図２１を用いて、第４実施形態について説明する。第４実施形態では、頭部模型３に電極５を配置する前に、皮質の汚れを落とす動作を検出するものである。
【００９８】
図２０は、第４実施形態の第１情報処理装置１の機能ブロック図である。第４実施形態の第１情報処理装置１の制御部１４は、第１実施形態の第１情報処理装置１の制御部１４に比べて、機能構成として、動作判定部１４５と、第１表示制御部１４６と、を更に含む。動作判定部１４５は、頭部模型３の複数の所定の箇所それぞれにおいて擦る動作が行われたか否かを判定可能に構成される。具体的には、第１表示制御部１４６は、頭部模型３の複数の電極５の配置位置それぞれにおいて、正しい位置、強さ、及び時間で擦る動作が行われたか否かを判定可能に構成されている。また、第１表示制御部１４６は、動作判定部１４５の判定結果に基づいて、第１動作モードと、第２動作モードとで、複数の所定の箇所それぞれにおいて擦る動作が行われたか否かの表示を変更可能に構成される。
【００９９】
図２１Ａは、皮質の汚れを落とす動作が行われたか判定する処理を説明するための図である。図２１Ａに示されるように、ユーザーは、綿棒等の所定の道具２１０を用いて、センサー４（圧力感応部４１＋異方性導電布４２）の上を擦る動作を行う。動作判定部１４５は、異方性導電布４２（第１電極）と導電性部材４１ａ（第２電極）との間に感圧部材４１ｂを有するセンサー４に対して、道具２１０で触れたり、離れたりする動作を検知し、正しい位置において擦る動作が行われたか否かを判定する。
【０１００】
図２１Ｂに示すように、擦り動作により、異方性導電布４２と導電性部材４１ａが接触、非接触を繰り返し、異方性導電布４２と導電性部材４１ａが触れると、センサー４が検出する抵抗値が下がる。動作判定部１４５は、抵抗値が所定の値（図２１ＢのＲ０）まで下がり、かつ、抵抗値が所定の値を繰り返し下回る時間（図２１Ｂのｔ）が所定の時間（例えば、５秒）を超えた場合、正しい強さ及び時間で擦る動作が行われたと判定する。
【０１０１】
再び、図２０の説明に戻る。第１表示制御部１４６は、動作判定部１４５の判定結果に基づいて、初心者モード（第１動作モードの一例）か、テストモード（第２動作モードの一例）かに応じて、頭部模型３の複数の電極の配置位置それぞれにおいて、正しい位置、強さ、及び時間で擦る動作が行われたか否かの表示を変更可能に構成されている。より具体的に説明すると、初心者モードの場合、第１表示制御部１４６は、頭部模型３の所定の位置に電極５を配置するたびに判定結果を表示する。一方、テストモードの場合、第１表示制御部１４６は、全ての電極５の配置が終わってから、判定結果を表示する。
【０１０２】
図２１Ｃに示すように、初心者モードの場合、第１表示制御部１４６は、表示部１１に頭部模型３の複数の電極の配置位置を表示するとともに、複数の電極５の配置位置において擦る動作が適切に行われた位置は格子模様のアイコンを表示し、擦る動作が適切に行われなかった位置はハッチングを付したアイコンを表示する。ここで、判定結果の表示はこれに限られず、異なる色、サイズ、線の太さ等により、擦り動作が適切であったか否かを区別可能に表示してもよい。また、擦り動作が不適切であった箇所を点滅表示させてもよい。
【０１０３】
なお、判定結果をすぐに表示しない場合（すなわち、テストモードの場合）、第１表示制御部１４６は、適切に擦れていれば、アーチファクト（交流）が混在しない脳波波形を表示し、適切に擦れていなければ、アーチファクト（交流）を混在させた脳波波形を表示するようにしてもよい。すなわち、テストモードの場合には、適切に擦れた場合には、きれいな波形を表示し、適切に擦れていない場合には、ノイズを混ぜた波形が表示される。
【０１０４】
これにより、初心者モードでは、ユーザーの擦り動作が適切であるか否かを擦り動作のたびに確認することができる。一方、テストモードでは、ユーザーの擦り動作が適切であるか否かが全ての擦り動作の終了後にまとめて表示できる。これにより、適切に擦り動作を行えるか否かにつき、テストをすることが可能になる。
【０１０５】
なお、第４実施形態では、第１情報処理装置１の制御部１４が動作判定部１４５と、第１表示制御部１４６と、を有するよう説明を行ったが、第２情報処理装置２の制御部２４が動作判定部１４５と、第１表示制御部１４６と、を有してもよい。このような構成の場合、第２情報処理装置２は、第１情報処理装置１より、ユーザーの頭部模型３に対する操作の情報を受け取ってもよいし、頭部模型３より直接、ユーザーの頭部模型３に対する操作の情報を受け取ってもよい。また、このような構成の場合、第１表示制御部１４６は、表示部２１に頭部模型３の複数の電極の配置位置を表示するとともに、複数の電極の配置位置において擦る動作が適切に行われた位置と適切に行われなかった位置を区別して表示する。
【０１０６】
また、第１情報処理装置１の制御部１４が動作判定部１４５を有し、第２情報処理装置２の制御部２４が第１表示制御部１４６を有してもよい。この構成の場合、第２情報処理装置２は、第１情報処理装置１から判定結果を受け取る。
【０１０７】
以上、第４実施形態によれば、動作モードに応じて、頭部の電極の配置位置において正確に皮質の汚れを落とす動作を行ったか否かの判定結果の表示を変更することができる。
【０１０８】
＜第５実施形態＞
次に、第５実施形態について説明する。第５実施形態のシステム１００は、複数の所定の箇所それぞれにおいて予め測定された脳波のパワースペクトルと、センサー４により検出された電極５の配置位置における脳波のパワースペクトルと、に基づいて、基準波形データに基づく表示波形の振幅を調整する。
【０１０９】
ここで、パワースペクトルは、特定の波形成分を周波毎に分解し、その周波数帯域毎の波形の大きさや周波数を定量的に表したものである。パワースペクトルの単位は、μＶ２（二乗）で表される。
【０１１０】
より具体的に説明すると、システム１００は、図５に示されるような電極５の基準位置と、基準位置から所定の方向に所定の距離ずれた位置とにおいて脳波を測定し、各位置における脳波波形データとそのパワースペクトルを予め記憶部１５に記憶する。そして、ユーザーにより電極５が配置されると、予め記憶部１５に記憶された基準波形データ及び脳波のパワースペクトルに基づく表示波形を生成する。表示波形生成部１４３は、第１実施形態の図１２に示されるように、波形を生成する。
【０１１１】
具体的には、図２２Ａ及び図２２Ｂに示すように、頭部の位置Ｔ，Ｏにおいて実際に測定した脳波は、周波数毎に含有量が異なっている。ここで、図２２Ｂにおいて、グラフの横軸は周波数帯域を表し、縦軸は周波数帯域毎の波形成分の含有量を表す。なお、波形成分の含有量は、δ〜γの周波数帯域における波形成分の合計が１００％となる場合における、周波数帯域毎の含有量（割合）を表す。本実施形態では、各周波数帯域は、以下のように定められる。
δ：０．５以上４．０Ｈｚ未満
θ：４．０以上８．０Ｈｚ未満
α：８．０以上１３．０Ｈｚ未満
β：１３．０以上２０．０Ｈｚ未満
γ：２０．０Ｈｚ以上４０．０Ｈｚ未満
【０１１２】
そして、図２２Ｃに示すように、位置に応じたパワースペクトル値からどの周波数成分が多いのか、周波数成分に基づいたフィルタを使用して脳波波形を調整する。例えば、電極５の配置が位置Ｏから下にずれた場合にθ含有量が減ったとすると、脳波の原波形からθ周波数帯域のフィルタを利用して波形を変化させることができる。
【０１１３】
これにより、複数人から脳波のパワースペクトルを測定することで、脳波電極の基準点からのずれによる指標を数値的に表すことが可能になり、脳波を擬似的に作成することができる。
【０１１４】
以上、第５実施形態によれば、複数の所定の箇所それぞれにおいて予め測定された脳波のパワースペクトルと、センサー４により検出された電極５の配置位置における脳波のパワースペクトルと、に基づいて、基準波形データに基づく表示波形の振幅を調整することができる。
【０１１５】
＜第６実施形態＞
次に第６実施形態について説明する。第６実施形態のシステム１００は、センサー４により検出された電極５の配置位置と予め定められた基準位置の距離に応じて、基準波形データに基づく表示波形の振幅と、基準波形データに基づく表示波形の色と、を調整する。
【０１１６】
より具体的に説明すると、第６実施形態の表示波形生成部１４３は、センサー４により検出された電極５の配置位置と予め定められた基準位置の距離がｒ＝ｒ０の場合は、表示波形生成部１４３は、振幅がＡ０の波形を生成すると共に、表示する波形の色を緑色にする。また、表示波形生成部１４３は、電極５の配置位置と基準位置の距離がｒ０＜ｒ＜ｒ１の場合は、表示波形として、振幅がＡ１の波形を生成すると共に、表示する波形の色を黄色にする。また、表示波形生成部１４３は、電極５の配置位置と基準位置の距離がｒ１＜ｒ＜ｒ２の場合は表示波形として、振幅がＡ２の波形を生成すると共に、表示する波形の色を黄色にする。また、表示波形生成部１４３は、電極５の配置位置と基準位置の距離がｒ２＜ｒ＜ｒ３の場合は表示波形として、振幅がＡ３の波形を生成すると共に、表示する波形の色を赤色にする。
【０１１７】
以上、第６実施形態によれば、電極５の配置位置と基準位置の距離に応じて、基準波形データに基づく表示波形の振幅と、基準波形データに基づく表示波形の色と、を調整することができる。
【０１１８】
＜第７実施形態＞
次に第７実施形態について説明する。第７実施形態のシステム１００は、ＡＲ（Ａｕｇｍｅｎｔｅｄ  Ｒｅａｌｉｔｙ）技術を用いて、髪の毛の画像を表示装置に重畳して頭部模型３に髪の毛が生えているように見せる。また、システム１００は、ＡＲ技術を用いて、電極５の配置位置と基準位置のズレを示す画像（所定の距離ズレていなければ青色の丸の画像、所定の距離ズレていれば赤色の画像等）を表示装置に重畳して電極５の配置位置が基準位置からズレている、又はズレていない等を示す。
【０１１９】
図２３に示すように、第７実施形態の第１情報処理装置１は、第１実施形態の第１情報処理装置１に比べて、表示装置１６が異なる。また、撮像部１７が含まれている。また、機能構成として、第２表示制御部１４７を更に含む。
【０１２０】
表示装置１６は、被訓練者が装着する眼鏡又はヘッドマウントディスプレイ型の表示デバイスである。表示装置１６は、光透過型の表示装置であり、眼鏡のレンズ部分に相当する位置には、光透過型の表示領域が設けられている。表示装置１６を装着したユーザーは、表示装置１６の表示領域を介して、現実空間において、視線の先に存在する物体を見ることができる。更に、表示領域には、第１情報処理装置１で生成された画像が表示されるので、表示装置１６を装着した被訓練者は、表示領域を通して見ている現実空間に、第１情報処理装置１で生成された画像が重畳された状態、即ち拡張現実空間（ＡＲ空間）を認識することができる。
【０１２１】
また、第１情報処理装置１には、表示装置１６と接続された撮像部１７が設けられている。撮像部１７は、表示装置１６の装着者の視線方向と、撮像部１７の撮像方向とが一致する関係になるように設置されているものとする。これにより、撮像部１７は、表示装置１６を装着するユーザーが見ている現実空間の作業の画像を撮像することができる。他の例として、撮像部１７は、撮像方向と表示装置１６の装着者の視線方向とが一定の関係になるように設定されていてもよい。
【０１２２】
撮像部１７によって頭部模型３が撮像されている場合、第７実施形態の画像生成部１４４は、ユーザーが頭部模型３を見ていると判断し、髪の毛の画像を生成する。そして、第２表示制御部１４７は、画像生成部１４４によって生成された画像が、表示領域を通して見ている現実空間の頭部模型３に重畳されるように、表示を制御する。
【０１２３】
また、位置判定部１４２より電極５の配置位置に関する判定結果を受け取ると、画像生成部１４４は、判定結果に応じて、電極５の配置位置と基準位置とのズレを示す画像を生成する。そして、第２表示制御部１４７は、画像生成部１４４によって生成されたが画像が、表示領域を通して見ている現実空間の該当する電極５の配置位置に表示されるように、表示を制御する。
【０１２４】
以上、第７実施形態によれば、ＡＲを用いて、技術を用いて、頭部模型３に髪の毛が生えているように見せたり、電極５の配置位置が基準位置からズレている、又はズレていない等を表示させたりすることができる。また、ペーストや皮脂を落とす研磨剤も仮想空間内で使用できるようになるので、実空間における作業と異なり汚れることがない。なお、他の例として、システム１００は、ＶＲ（Ｖｉｒｔｕａｌ  Ｒｅａｌｉｔｙ）技術を用いて、同様の処理等を行うことができる。
【０１２５】
＜第８実施形態＞
次に、第８実施形態について説明する。第８実施形態のシステム１００は、電極５を貼り付ける位置を示すために頭部模型３に発光素子を配置する。発光素子は、電極５が適切な位置に配置されたか否かに応じて、異なる色を発光する。また、発光素子は、電極５を貼り付ける押付力に応じて、異なる速度で点滅する。発光素子は、発光部の一例である。
【０１２６】
図２４に示すように、第８実施形態の第１情報処理装置１は、第１実施形態の第１情報処理装置１に比べて、発光素子制御部１４８が含まれている。第８実施形態の位置判定部１４２より電極５の配置位置に関する判定結果を受け取ると、発光素子制御部１４８は、判定結果に応じて、配置位置に対応する発光素子に対して、発光する色を指示する発光指示を作成し、作成した発光指示を発光素子に送信する。例えば、電極５の配置位置と予め定められた基準位置の距離がｒ＝ｒ０の場合は、発光素子制御部１４８は、黄色に光る発光指示を、該当する発光素子に送信する。また、電極５の配置位置と予め定められた基準位置の距離がｒ０＜ｒの場合は、発光素子制御部１４８は、赤色に光る発光指示を、該当する発光素子に送信する。さらに、電極５の配置前においては発光素子を青色に発光させ、電極５の配置後においては発光素子を白色に発光させてもよい。かかる色は任意である。
【０１２７】
また、該当するセンサー４より電極５を接着する際の圧力の大きさを示す圧力値を受け取ると、発光素子制御部１４８は、電極５の配置位置に対応する発光素子に対して、圧力値に応じた点滅スピードでの点滅を指示する点滅指示を作成し、作成した点滅指示を発光素子に送信する。例えば、圧力値が電極５の適切な接着を示す閾値範囲内であった場合、発光素子制御部１４８は、所定間隔での点滅を指示する点滅指示を作成し、該当する発光素子に送信する。また、圧力値が電極５の適切な接着を示す閾値範囲より小さい値であった場合、発光素子制御部１４８は、所定間隔より遅い点滅を指示する点滅指示を作成し、該当する発光素子に送信する。また、圧力値が電極５の適切な接着を示す閾値範囲より大きい値であった場合、発光素子制御部１４８は、所定間隔より早い点滅を指示する点滅指示を作成し、該当する発光素子に送信する。
【０１２８】
以上、第８実施形態によれば、電極５の配置位置及び電極５を配置する際の圧力が適切か否かの情報を頭部模型３上で表示することができる。なお、他の例として、システム１００は、頭部模型３に振動素子、発音素子等を設け、電極５の配置位置、電極５を接着する際の圧力値に応じて、振動、発音の種類、又は大きさ等を変えるようにしてもよい。
【０１２９】
＜その他＞
本発明に係るシステム１００は、以下の態様でも実施可能である。
【０１３０】
位置判定部及び表示波形生成部を備え、
前記位置判定部は、頭部模型に配置される電極の配置位置を検出可能なセンサーにより検出された前記配置位置が予め定められた範囲内に位置するか否かを判定可能に構成され、
前記表示波形生成部は、前記配置位置が予め定められた範囲内である場合、基準波形データに基づく表示波形を生成可能に構成され、
前記基準波形データは、予め測定した基準脳波の波形を表すデータである、
情報処理装置。
【０１３１】
コンピュータを、位置判定部及び表示波形生成部として機能させ、
前記位置判定部は、頭部模型に配置される電極の配置位置を検出可能なセンサーにより検出された前記配置位置が予め定められた範囲内に位置するか否かを判定可能に構成され、
前記表示波形生成部は、前記配置位置が予め定められた範囲内である場合、基準波形データに基づく表示波形を生成可能に構成され、
前記基準波形データは、予め測定した基準脳波の波形を表すデータである、
プログラム。
【０１３２】
また、上述のプログラムを格納する、コンピュータ読み取り可能な非一時的な記録媒体として提供してもよい。
【０１３３】
さらに、頭部模型３に代えて、人体の頭部以外の模型を利用することもできる。この場合、電極５により取得するのは、その模型に対応する人体の部位から取得可能な電気信号である。例えば、本発明に係るシステムは、筋電図の判読訓練に応用することもできる。
【符号の説明】
【０１３４】
１          ：第１情報処理装置
２          ：第２情報処理装置
３          ：頭部模型
４          ：センサー
５          ：電極
６          ：メッシュ
１０−２０  ：国際
１１        ：表示部
１２        ：操作部
１３        ：通信部
１４        ：制御部
１５        ：記憶部
１６        ：表示装置
１７        ：撮像部
２１        ：表示部
２２        ：操作部
２３        ：通信部
２４        ：制御部
２５        ：記憶部
４１        ：圧力感応部
４１ａ      ：導電性部材
４１ｂ      ：感圧部材
４２        ：異方性導電布
１００      ：システム
１４１      ：変換部
１４２      ：位置判定部
１４３      ：表示波形生成部
１４４      ：画像生成部
１４５      ：動作判定部
１４６      ：第１表示制御部
１４７      ：第２表示制御部
１４８      ：発光素子制御部
２１０      ：道具
２４１      ：特徴量抽出部
２４２      ：一致度判定部
２４３      ：正誤判定部
２４４      ：画像生成部
【図１】
2020034905.tif 000003
【図２】
2020034905.tif 000004
【図３】
2020034905.tif 000005
【図４】
2020034905.tif 000006
【図５】
2020034905.tif 000007
【図６】
2020034905.tif 000008
【図７】
2020034905.tif 000009
【図８】
2020034905.tif 000010
【図９】
2020034905.tif 000011
【図１０】
2020034905.tif 000012
【図１１】
2020034905.tif 000013
【図１２】
2020034905.tif 000014
【図１３】
2020034905.tif 000015
【図１４】
2020034905.tif 000016
【図１５】
2020034905.tif 000017
【図１６】
2020034905.tif 000018
【図１７】
2020034905.tif 000019
【図１８】
2020034905.tif 000020
【図１９】
2020034905.tif 000021
【図２０】
2020034905.tif 000022
【図２１】
2020034905.tif 000023
【図２２】
2020034905.tif 000024
【図２３】
2020034905.tif 000025
【図２４】
2020034905.tif 000026